(57)【要約】【課題】携帯端末機から遊技機への通信が正確に行われたことを遊技者が容易に把握することができ、また、誤送信が生じたことも直ちに把握することができる遊技システムを提供すること。【解決手段】個人情報信号を携帯端末機から無線により受信するための受信部が設けられた遊技機と、前記遊技機と通信回線を介して接続されたサーバとを含んで構成され、前記遊技機又はサーバは、前記受信部を介して前記携帯端末機から個人情報信号を受信したか否かを判断する個人情報信号判断手段と、前記個人情報信号判断手段が個人情報信号を受信したと判断したとき、前記個人情報信号を受信したことを示す確認画像を前記携帯端末機の表示部に表示させるために、前記携帯端末機に応答信号を送信する応答信号送信手段とを備えたことを特徴とする遊技システム。【選択図】      図１
2004242703.tif 000002
【特許請求の範囲】
【請求項１】
個人情報信号を携帯端末機から無線により受信するための受信部が設けられた遊技機と、前記遊技機と通信回線を介して接続されたサーバとを含んで構成され、
前記遊技機又はサーバは、前記受信部を介して前記携帯端末機から個人情報信号を受信したか否かを判断する個人情報信号判断手段と、
前記個人情報信号判断手段が個人情報信号を受信したと判断したとき、前記個人情報信号を受信したことを示す確認画像を前記携帯端末機の表示部に表示させるために、前記携帯端末機に応答信号を送信する応答信号送信手段とを備えたことを特徴とする遊技システム。
【請求項２】
個人情報信号を携帯端末機から無線により受信するための受信部が設置され、
前記受信部を介して前記携帯端末機から個人情報信号を受信したか否かを判断する個人情報信号判断手段と、
前記個人情報信号判断手段が個人情報信号を受信したと判断したとき、前記個人情報信号を受信したことを示す確認画像を前記携帯端末機の表示部に表示させるために、前記携帯端末機に応答信号を送信する応答信号送信手段とを備えたことを特徴とする遊技機。
【発明の詳細な説明】
【０００１】
【発明の属する技術分野】
本発明は、パチンコホール等の遊技場に適用される遊技システムと、パチンコ遊技装置やパチスロ遊技装置等の遊技機とに関する。
【０００２】
【従来の技術】
近年のカード社会を反映し、例えば、遊技場での遊技球の貸し出し、遊技により獲得した遊技球を後日利用するための貯球、この貯球による再プレイ又は景品交換等、遊技関連の各種のサービスの提供に際し、例えば、クレジット会社との提携カードや、遊技場独自の会員カード、チェーン店間の景品カード等のカードを利用する遊技システムが注目され導入されつつある。
【０００３】
また、従来の遊技システムとして、携帯電話機等を用いて、パチンコホール等の遊技場における遊技媒体（例えば、遊技球やコイン等）の貸し出し等や、遊技場の協力加盟店における景品交換等の各種のサービスを受けることを可能とする遊技システムがある（例えば、特許文献１参照）。特許文献１に記載された遊技システムによれば、遊技者は多種のカードを携帯したり、現金を使用したりすることなく各種のサービスを受けることができる。
【０００４】
【特許文献１】
特開２００２−１５９７３０号公報
【０００５】
【発明が解決しようとする課題】
特許文献１に記載された遊技システムのように、携帯電話機等を用いて無線により遊技機との通信を行うこととした場合、サービスを要求するための信号が対象となる遊技機に送信されず、他の遊技機へ誤送信されるおそれがある。
しかしながら、特許文献１に記載の遊技システムでは、誤送信が生じたことを遊技者が直ちに把握することができないため、他の遊技機においてサービスの提供が行われてしまい、遊技者が不測の損害を蒙ってしまうという問題があった。
また、通常、携帯電話機等から送信される信号には個人情報が含まれるため、誤送信が生じたことを遊技者が認識することができないということは、セキュリティ面においても問題があった。
【０００６】
本発明は、上述した課題に鑑みてなされたものであり、その目的は、携帯端末機による通信が正確に行われたことを遊技者が容易に把握することができ、また、誤送信が生じたことも直ちに把握することができる遊技システム及び遊技機を提供することにある。
【０００７】
【課題を解決するための手段】
上述した課題を解決するために、本発明は、以下のようなものを提供する。
（１）個人情報信号を携帯端末機から無線により受信するための受信部が設けられた遊技機と、前記遊技機と通信回線を介して接続されたサーバとを含んで構成され、
前記遊技機又はサーバは、前記受信部を介して前記携帯端末機から個人情報信号を受信したか否かを判断する個人情報信号判断手段と、
前記個人情報信号判断手段が個人情報信号を受信したと判断したとき、前記個人情報信号を受信したことを示す確認画像を前記携帯端末機の表示部に表示させるために、前記携帯端末機に応答信号を送信する応答信号送信手段とを備えたことを特徴とする遊技システム。
【０００８】
（１）の発明によれば、携帯端末機からのアクセスがあると、個人情報信号を受信したことを示す確認画像が携帯端末機の表示部に表示されるため、遊技者は、対象となる遊技機との通信が正確に行われたことを容易に把握することができ、誤送信が生じたことも直ちに把握することができる。
その結果、誤送信が生じたときには、直ちに遊技場の店員に通報するというように必要な措置を取ることができるため、遊技者は不測の不利益を蒙ることがなく、セキュリティ面の問題も解消することができる。
【０００９】
（２）個人情報信号を携帯端末機から無線により受信するための受信部が設置され、
前記受信部を介して前記携帯端末機から個人情報信号を受信したか否かを判断する個人情報信号判断手段と、
前記個人情報信号判断手段が個人情報信号を受信したと判断したとき、前記個人情報信号を受信したことを示す確認画像を前記携帯端末機の表示部に表示させるために、前記携帯端末機に応答信号を送信する応答信号送信手段とを備えたことを特徴とする遊技機。
【００１０】
（２）の発明によれば、携帯端末機からのアクセスがあると、個人情報信号を受信したことを示す確認画像が携帯端末機の表示部に表示されるため、遊技者は、通信が正確に行われたことを容易に把握することができ、誤送信が生じたことも直ちに把握することができる。
その結果、誤送信が生じたときには、直ちに遊技場の店員に通報するというように必要な措置を取ることができるため、遊技者は不測の不利益を蒙ることがなく、セキュリティ面の問題も解消することができる。
【００１１】
【発明の実施の形態】
本発明の実施例について図面に基づいて説明する。
本発明の遊技システムについて図面を用いて説明する。
図１は、本発明の遊技システムの一例を模式的に示す概念図である。
【００１２】
遊技場９には、８台のパチンコ遊技装置１（１Ａ〜１Ｈ）と、８台のパチスロ遊技装置２（２Ａ〜２Ｈ）と、情報管理装置４とが設置されており、これらのパチンコ遊技装置１及びパチスロ遊技装置２は、配線網８を介して、情報管理装置４と接続されている。パチンコ遊技装置１及びパチスロ遊技装置２は、それぞれ携帯電話機５（５Ａ〜５Ｂ）から、赤外線を通信媒体とする個人情報信号を受信することができる。
【００１３】
パチンコ遊技装置１及びパチスロ遊技装置２が個人情報信号判断手段と応答信号送信手段とを備えている場合、パチンコ遊技装置１又はパチスロ遊技装置２は、携帯電話機５から個人情報信号を受信したか否かを判断し、上記個人情報信号を受信したと判断したとき、個人情報信号を受信したことを示す確認画像を携帯電話機５の表示部に表示させるために、携帯電話機５に応答信号を送信する。
【００１４】
また、情報管理装置４が個人情報信号判断手段と応答信号送信手段とを備えている場合、パチンコ遊技装置１又はパチスロ遊技装置２は、個人情報信号を受信すると、当該個人情報信号を情報管理装置４に送信する。情報管理装置４は、上記個人情報信号を受信したか否かを判断し、上記個人情報信号を受信したと判断したとき、個人情報信号を受信したことを示す確認画像を携帯電話機５の表示部に表示させるために、携帯電話機５に応答信号を送信する。このとき、情報管理装置４が携帯電話機５に対して応答信号を直接送信することとしてもよく、情報管理装置４がパチンコ遊技装置１又はパチスロ遊技装置２を介して携帯電話機５に対して応答信号を送信することとしてもよい。
【００１５】
本発明において、遊技機には、図１に示したように、パチンコ遊技装置とパチスロ遊技装置とが含まれる。また、本発明において、携帯端末機としては、特に限定されるものではないが、例えば、携帯電話機、ノート型パーソナルコンピュータ、ＰＤＡ（Ｐｅｒｓｏｎａｌ  Ｄｉｇｉｔａｌ  Ａｓｓｉｓｔａｎｔｓ）等を挙げることができる。
【００１６】
また、本発明において、情報管理装置は、広義のホストコンピュータである。すなわち、狭義のホストコンピュータ（例えば、垂直分散システムにおける大型コンピュータ等）だけではなく、サーバ（例えば、水平分散システムにおけるワークステーションやパーソナルコンピュータ等）も含まれる。また、複数のコンピュータの集合により情報管理装置が構成されていてもよい。
【００１７】
本発明の遊技システムにおいて、遊技機は、個人情報信号を携帯端末機から無線により受信するための受信部を備えている。上記携帯端末機から遊技機に送信される個人情報信号の通信媒体としては、特に限定されるものではなく、例えば、電波や赤外線等を用いることが可能である。
【００１８】
なかでも、上記携帯端末機から遊技機に送信される個人情報信号の通信媒体としては、赤外線を用いることが望ましい。すなわち、上記遊技機は、赤外線を通信媒体とする個人情報信号を携帯端末機から受信するための受信部を備えていることが望ましい。指向性に優れた赤外線を通信媒体とすることにより、遊技者が誤って他の遊技機に個人情報信号を送信してしまう誤送信を低減することができるからである。また、携帯端末機を遊技機に対向させることにより通信を行うことが可能であるため、通信対象となる遊技機を特定する指示の入力を省略することも可能となる。
このような携帯端末機と遊技機との赤外線通信の通信規格としては、特に限定されるものではないが、例えば、ＩｒＤＡ（Ｉｎｆｒａｒｅｄ  Ｄａｔｅ  Ａｓｓｏｃｉａｔｉｏｎ）等を用いることが可能である。なお、このＩｒＤＡには、消費電力、通信可能距離及び通信速度の異なる複数の仕様が存在するが、どの仕様を採用するかについては、特に限定されるものではなく、例えば、携帯端末機の有する機能や、遊技機における受信部の設置位置等に応じて適宜設定することが可能である。
【００１９】
本発明の遊技システムにおいて、遊技機と情報管理装置とは通信回線を介して接続される。当該通信回線には、有線のみならず、無線による伝送路も含まれる。上記通信回線を有線とした場合、セキュリティ性の向上や、高速通信を実現することができるのに対し、上記通信回線を無線とした場合には、遊技機のレイアウト変更や、遊技機の入れ替え等を行う際の配線作業の簡略化を図ることが可能になる。なお、遊技機及び情報管理装置間の通信方式については、特に限定されるものではない。また、例えば、遊技機の入れ替えを頻繁に行う場合等には、遊技機と情報管理装置とにより、アドホックネットワーク（自立分散型無線ネットワーク）を構築することとしてもよい。簡易なネットワークを安価に構築することが可能となる。
【００２０】
本発明の遊技システムにおいて、遊技機は、携帯端末機から発せられた個人情報信号を受信する。この個人情報信号は、例えば、遊技機に対して特定の処理を要求する場合等に、特定の処理を要求する信号（以下、要求信号ともいう）とともに、又は、要求信号が送信された後に、携帯端末機から遊技機へ送信される信号である。
なお、遊技機に対して要求する特定の処理としては、特に限定されるものではないが、例えば、遊技媒体（遊技球やコイン等）の貸し出しに係る処理や、遊技媒体の貸し出しに必要なポイントの付与に係る処理や、データ表示器への遊技結果に基づくデータの表示に係る処理等を挙げることができる。これらの処理については後述する。
【００２１】
また、このような携帯端末機から遊技機への個人情報信号に含まれる個人情報には、携帯端末機及び／又は当該携帯端末機を所有する個人に関する情報が含まれる。例えば、携帯端末機から発せられる個人情報信号に含まれる個人情報としては、例えば、電話番号や、メールアドレス等を挙げることができる。また、上記個人情報には、遊技者が任意に設定したパスワード等も含まれる。
具体的には、上述したように、携帯端末機と遊技機との赤外線通信にＩｒＤＡの規格が用いられる場合、個人情報信号の送受信には、例えば、ＩｒＭＣ（Ｉｎｆｒａｒｅｄ  Ｍｏｂｉｌｅ  Ｃｏｍｍｕｎｉｃａｔｉｏｎ）の規格等が採用される。ＩｒＭＣの規格によれば、個人情報は、共通データフォーマットであるｖＣａｒｄにより、個人情報信号として送受信されることになる。この場合、個人情報は、ｖＣａｒｄの各項目事項に対応する情報ということになる。
【００２２】
本発明において、携帯端末機は、遊技機又は情報管理装置から応答信号を受信する。この応答信号には、個人情報信号を受信したことを示す確認画像となる画像データ（以下、確認画像データともいう）が含まれていてもよい。このようにした場合、応答信号を受信したとき、上記応答信号に含まれる確認画像データに基づいて携帯端末機の表示部に確認画像が表示されることになる。また、先に携帯端末機が備えるメモリに確認画像データを記憶させておき、携帯端末機が応答信号を受信したとき、上記確認画像データに基づいて携帯端末機の表示部に確認画像が表示されることとしてもよい。
【００２３】
遊技機が応答信号送信手段を備えている場合、応答信号は、上記遊技機から無線により携帯端末機に送信される。このとき、応答信号の通信媒体としては、携帯端末機から遊技機へ送信される個人情報信号の通信媒体と同様のものを用いることができ、例えば、電波や赤外線等を挙げることができる。
【００２４】
一方、情報管理装置が応答信号送信手段を備えている場合、応答信号は、情報管理装置から遊技機を介して携帯端末機に送信されるか、又は、情報管理装置から遊技機を介さずに直接的に無線により携帯端末機に送信される。
応答信号が、情報管理装置から遊技機を介して携帯端末機に送信される場合、遊技機から携帯端末機へは無線により応答信号が送信されることになる。このとき、応答信号の通信媒体としては、携帯端末機から遊技機へ送信される個人情報信号の通信媒体と同様のものを用いることができ、例えば、電波や赤外線等を挙げることができる。また、応答信号が、情報管理装置から遊技機を介さずに直接的に無線により携帯端末機に送信される場合、上記応答信号の通信媒体には電波等を用いることが可能である。
【００２５】
本発明において、携帯端末機の表示部に表示される確認画像としては、特に限定されるものではないが、例えば、要求信号を受信したことを示す画像や、パスワードが入力されたことを示す画像等を挙げることができる。
また、上記要求信号に係る特定の処理を進める際に追加の指示が入力される場合、確認画像として、追加の指示に係る要求信号を受信したことを示す画像を携帯端末機の表示部に表示させることとしてもよい。例えば、ポイントの購入に係る要求信号を受信したとき、確認画像を表示させ、さらに、ポイント購入数量に係る要求信号を受信したとき、確認画像を表示させることしてもよいのである。
なお、確認画像については、後で図面を用いて説明することにする。
【００２６】
次に、本発明の遊技システムに用いられる遊技機について説明する。
以下においては、個人情報信号送信手段と応答信号送信手段とを、遊技機が備えている場合について説明する。
なお、本発明の遊技機は、個人情報信号送信手段と応答信号送信手段とを備えており、以下に説明する本発明の遊技システムに用いられる遊技機と同様の構成を有するので、本発明の遊技機についても、あわせて説明することとする。
図２は、図１に示した遊技システムに用いられるパチンコ遊技装置１の一例を模式的に示す斜視図である。
【００２７】
パチンコ遊技装置１は、本体装置１０と、本体装置１０の右側に設置された台間機４０と、本体装置１０の上側に設置されたデータ表示器５０と、データ表示器５０の上側に設置された無線対応型通信ユニット１００とを備えている。
【００２８】
本体装置１０には、本体枠１２と、本体枠１２に組み込まれた遊技盤１４と、遊技盤１４の前面に設けられた本体枠１２の窓枠１６と、窓枠１６の下側で本体枠１２の前面に設けられた上皿２０及び下皿２２と、下皿２２の右側に設けられた発射ハンドル２６と、下皿２２の左側に設けられた携帯電話機設置台２４とが配置されている。上皿２０の前面には、遊技球の貸し出しの際に必要となるポイントが表示される度数表示器２３と、遊技球の貸し出しを受けるための指示の入力を可能とする操作ボタン２５とが設置されている。
遊技盤１４の前面には、複数の変動図柄や演出画像等が表示される表示装置３２が設置されるとともに、複数の障害釘（図示せず）が打ち込まれている。
【００２９】
また、発射ハンドル２６は本体枠１２に対して回動自在に設けられており，遊技者は発射ハンドル２６を操作することによりパチンコ遊技を進めることができるのである。発射ハンドル２６の裏側には、発射モータ（図示せず）２８が設けられている。発射ハンドル２６が遊技者によって回動操作されたときには、発射モータ２８に電力が供給され、上皿２０に貯留された遊技球が遊技盤１４に順次発射される。発射された遊技球は、遊技盤１４の上部に移動し、複数の障害釘との衝突によりその進行方向を変えながら遊技盤１４の下方へ向かって落下する。
【００３０】
台間機４０は、その前面に、カード挿入口４１が設けられている。このカード挿入口４１に、プリペイドカード等が挿入されると、上記プリペイドカードに記憶されたポイントが度数表示器２３に表示される。また、データ表示器５０は、その前面にデータ表示部５１を備えており、このパチンコ遊技装置１における遊技結果に基づくデータ等が表示される。なお、これらの台間機４０とデータ表示器５０とについては、従来公知のものを用いることが可能である。
【００３１】
無線対応型通信ユニット１００は、本体部１０１と、受信部１１０とを備えている。受信部１１０は、受信面１１０ａを有しており、赤外線を通信媒体とする個人情報信号を携帯端末機（図示せず）から受信面１１０ａを介して受信することができる。受信部１１０は、受信面１１０ａを前方へ向けて設置されており、パチンコ遊技装置１の前方から発せられる個人情報信号を受信することができる。また、受信部１１０と本体部とは配線により接続されており、受信部１１０が受信した個人情報信号は本体部１０１へ供給される。
さらに、無線対応型通信ユニット１００の本体部１０１には、配線を介して監視用カメラ１２０が接続されている。
【００３２】
図３は、図１に示した遊技システムに用いられるパチンコ遊技装置の他の一例を模式的に示す斜視図である。図３においては、上述した図２に示した構成要素と対応する構成要素には同一の符号を付した。
【００３３】
パチンコ遊技装置７は、本体装置１０と無線対応型通信ユニット１００とを備えている。本体枠１２の上部には、取付部１３０、１３１が設けられており、無線対応型通信ユニット１００の本体部１０１は取付部１３０に取り付けられている。また、受信部１１０は、受信面１１０ａを前方へ向けて、取付部１３１に取り付けられており、パチンコ遊技装置７の前方から発せられる個人情報信号を受信することができる。本体装置１０は、上述した点を除いて、図２に示したものと同様であるので、ここでの説明は省略する。
【００３４】
なお、本発明の遊技システムに用いられる遊技機は、個人情報信号を携帯端末機から無線により受信するための受信部が設けられていれば、必ずしも、図２に示したパチンコ遊技装置１のように、台間機４０とデータ表示器５０とを備えている必要はない。また、上記受信部は、図２に示すように、本体装置１０とは別に設けられていてもよく、図３に示すように、本体装置１０と一体的に設けられていてもよい。
【００３５】
図４は、図２に示したパチンコ遊技装置１の構成を示すブロック図である。
パチンコ遊技装置１は、ＣＰＵ（Ｃｅｎｔｒａｌ  Ｐｒｏｃｅｓｓｉｎｇ  Ｕｎｉｔ）６６、ＲＯＭ（Ｒｅａｄ  Ｏｎｌｙ  Ｍｅｍｏｒｙ）６８及びＲＡＭ（Ｒａｎｄｏｍ  Ａｃｃｅｓｓ  Ｍｅｍｏｒｙ）７０を含む制御部６０を備えている。
【００３６】
ＲＯＭ６８は、パチンコ遊技装置の遊技全体の流れを制御するプログラム等を記憶するとともに、表示装置３２に表示される各種の画像データ、後述するスピーカ４６から出力する各種の音データ等を記憶する。ＲＡＭ７０は、上述したプログラムで使用するフラグや変数の値を記憶し、さらに、例えば、新たな入力データやＣＰＵ６６による演算結果や遊技の履歴を示す累積リーチ数、累積変動数及び累積大当たり回数等を記憶する。
ＣＰＵ６６は、所定のプログラムを呼び出して実行することにより、演算処理を行い、この演算処理の結果に基づいて各種の画像データ及び音データを電子データとして伝送その他の制御を行うのである。
【００３７】
制御部６０には、発射ハンドル２６及び球検知センサ４２が接続されている。
発射ハンドル２６が操作されると、発射ハンドル２６の回動角度を示す角度信号は制御部６０に供給される。また、球検知センサ４２は、遊技盤１４に設けられた入賞口や始動口等に入った遊技球を検知すると、検知信号を制御部に送信する。
【００３８】
制御部６０には、複数の変動図柄や演出画像等が表示される表示装置３２と、遊技状況に応じた各種の音が出力されるスピーカ４６とが接続されている。
また、制御部６０には、発射モータ２８と、ソレノイド４８と、各種ランプ３４とが接続されており、ＣＰＵ６６における演算処理の結果に応じて駆動信号や駆動電力が供給される。
【００３９】
また、制御部６０には、払出装置５９と、度数表示器２３と、操作ボタン２５とが接続されている。払出装置５９は、ＣＰＵ６６からの駆動信号に基づいて動作するものであり、所定数の遊技球を上皿２２に払い出す。度数表示器２３は、遊技球の貸し出しの際に必要となるポイントが表示されるものである。
また、操作ボタン２５は、遊技球の貸し出しを受けるための指示の入力を可能とするボタンであり、操作ボタン２５が操作されると、払出装置５９により所定数の遊技球が上皿２２に払い出され、度数表示器２３に表示される度数が減少する。
【００４０】
さらに、制御部６０には、無線対応型通信ユニット１００が接続され、台間機４０及びデータ表示器５０が接続されている。
台間機４０のカード挿入口４１にプリペイドカードが挿入されると、プリペイドカードに記憶されたポイントが度数表示器２３に表示される。遊技球の貸し出しが行われると、プリペイドカードに記憶されたポイントが書き換えられる。
なお、遊技球の貸し出しに必要なポイントの付与は、台間機４０によらず、無線対応型通信ユニット１００が携帯電話機５から受信する要求信号に基づいて行われることとしてもよい。
【００４１】
データ表示器５０は、パチンコ遊技装置１における遊技結果に基づく各種のデータを表示するものである。この遊技結果に基づく各種のデータはＲＡＭ７０に記憶されているデータである。
なお、データ表示器５０への遊技結果に基づく各種のデータの表示は、例えば、パチンコ遊技装置１が起動している間、常時行われることとしてもよく、無線対応型通信ユニット１００が携帯電話機５から受信する要求信号に基づいて行われることとしてもよい。
【００４２】
無線対応型通信ユニット１００については、図５を用いて説明することとする。図５は、図２に示したパチンコ遊技装置１が備える無線対応型通信ユニット１００の内部構造を示すブロック図である。
無線対応型通信ユニット１００は、本体部１０１と受信部１１０とからなる。本体部１０１は、メモリを有するワンチップのＣＰＵ１０２を備えており、ＣＰＵ１０２には、無線通信回路部１０３とＬＡＮコントローラ部１０４と拡張Ｉ／Ｆ１０５とシリアルＩ／Ｆ１０６と汎用Ｉ／Ｏ１０７とが接続されている。また、本体部１０１は、電源回路１０８を備えている。
【００４３】
ＣＰＵ１０２が有するメモリには、確認画像データが記憶されている。ＣＰＵ１０２は、携帯電話機５に応答信号を送信する際、確認画像データとともに応答信号を送信する。その結果、確認画像データに基づく確認画像が携帯電話機５の表示部に表示されることになる。
なお、パチンコ遊技装置１が備えるＲＯＭ６８に確認画像データが記憶されていることとしてもよい。このようにした場合、ＣＰＵ１０２は、携帯電話機５に応答信号を送信する際にＲＯＭ６８から確認画像データを取得し、確認画像データとともに応答信号を送信する。
【００４４】
無線通信回路部１０３は、例えば、情報管理装置４や、他のパチンコ遊技装置１及び／又はパチスロ遊技装置２等との無線によるデータの送受信を可能とする。無線通信回路部１０３には、例えば、ＰＣカード等のカード型拡張デバイスを採用することができる。また、ＬＡＮコントローラ部１０４は、例えば、情報管理装置４や、パチンコ遊技装置１及び／又はパチスロ遊技装置２等との有線によるデータの送受信を可能とする。
【００４５】
拡張Ｉ／Ｆ１０５には、例えば、監視カメラやスキャナ等の周辺機器の接続が可能である。シリアルＩ／Ｆ１０６は、シリアル伝送を行うためのインターフェイスであり、例えば、ＲＳ−２３２ＣやＲＳ−４２２等のシリアル伝送方式を採用することができる。また、汎用Ｉ／Ｏ１０７は、その他の各種の機器・装置との接続を可能とするものである。
【００４６】
図２に示したパチンコ遊技装置１は、シリアルＩ／Ｆ１０６により無線対応型通信ユニット１００と接続されている。また、図１に示した遊技システムにおいて、パチンコ遊技装置１及びパチンコ遊技装置２は、無線対応型通信ユニット１００のＬＡＮコントローラ部１０４により、配線網８を介して、情報管理装置４と接続されているのである。
【００４７】
ただし、無線対応型通信ユニット１００と、遊技機（パチンコ遊技装置１若しくはパチスロ遊技装置２）とは、必ずしも、シリアルＩ／Ｆ１０６により接続されている必要はなく、無線通信回路部１０３により無線で接続されていてもよく、ＬＡＮコントローラ部１０４により有線で接続されていてもよい。
また、無線対応型通信ユニット１００と、情報管理装置４とは、必ずしも、ＬＡＮコントローラ部１０４により、有線で情報管理装置４と接続される必要はなく、無線通信回路部１０４により無線で接続されていてもよい。
【００４８】
さらに、本体部１０１のＣＰＵ１０２には、受信部１１０が接続されている。
受信部１１０は、受信面１１０ａを有しており、受信面１１０ａを介して、赤外線を通信媒体とする個人情報信号を携帯電話機５から受信することができる。
【００４９】
次に、本発明の遊技システムに適用される情報管理装置について説明する。
図６は、図１に示した情報管理装置の内部構成を模式的に示すブロック図である。
情報管理装置４は、ハードディスクドライブ８８と、ＣＰＵ８２と、ＲＯＭ８４と、ＲＡＭ８６と、無線通信回路部９０と、ＬＡＮコントローラ部９２とから構成されている。
【００５０】
ハードディスクドライブ８８は、例えば、無線通信回路部９０又はＬＡＮコントローラ部９２により、パチンコ遊技装置１又はパチスロ遊技装置２との通信を行うためのプログラムや、パチンコ遊技装置１又はパチスロ遊技装置２が備えた無線対応型通信ユニット１００からの個人情報信号等を受信するためのプログラムや、受信履歴データを生成するためのプログラム等を記憶する。
無線通信回路部９０は、無線対応型通信ユニット１００と無線により通信するためのものであり、ＬＡＮコントローラ部９２は、無線対応型通信ユニット１００と有線により通信するためのものである。
【００５１】
図１に示した遊技システムにおいては、情報管理装置４は、ＬＡＮコントローラ部１０４により、配線網８を介して、パチンコ遊技装置１又はパチスロ遊技装置２と有線で接続されているが、無線通信回路部１０３により無線で接続されることとしてもよい。
【００５２】
次に、本発明の遊技システムにおいて行われる処理について、図７を用いて説明することにする。
以下においては、パチンコ遊技装置１、無線対応型通信ユニット１００及び情報管理装置４は起動しており、ＣＰＵ６６、１０２、８２において用いられる変数は所定の値に初期化され、定常動作しているものとする。
【００５３】
図７は、パチンコ遊技装置１が備える無線対応型通信ユニット１００において実行されるサブルーチンを示すフローチャートである。このサブルーチンは、予め実行されている無線対応型通信ユニット１００の動作等を制御するプログラムから所定のタイミングで呼び出されて実行されるものである。
【００５４】
最初に、ＣＰＵ１０２は、携帯電話機５から要求信号を受信したか否かを判断する（ステップＳ１０）。
携帯電話機５からの要求信号としては、特に限定されるものではないが、例えば、遊技球の貸し出しに係る処理の実行を要求する信号や、遊技球の貸し出しに必要なポイントの付与に係る処理の実行を要求する信号や、データ表示器５０への遊技結果に基づくデータの表示に係る処理の実行を要求する信号等を挙げることができる。
【００５５】
携帯電話機５からの要求信号を受信していないと判断した場合、本サブルーチンを終了する。一方、携帯電話機５からの要求信号を受信したと判断した場合、ＣＰＵ１０２は、確認画像データを含む応答信号を携帯電話機５に送信する（ステップＳ１１）。
無線対応型通信ユニット１００のＣＰＵ１０２が有するメモリに、確認画像データが記憶されている場合、ＣＰＵ１０２は、上記メモリから必要となる確認画像データを読み出し、この確認画像データとともに応答信号を携帯電話機５に送信する。パチンコ遊技装置１が備えるＲＯＭ６８に確認画像データが記憶されている場合、ＣＰＵ１０２は、ＲＯＭ６８から必要となる確認画像データを取得した後、この確認画像データとともに応答信号を携帯電話機５に送信する。
無線対応型通信ユニット１００から携帯電話機５への応答信号は、例えば、受信部１１０を介した赤外線通信により行うことができる。また、個人情報信号に係る個人情報にメールアドレスが含まれる場合には、応答信号として、確認画像データを添付したメールを送信することとしてもよい。また、携帯電話機５が備えるメモリに確認画像データが記憶されている場合には、確認画像データは送信されず、応答信号のみが送信される。
このステップＳ１１の処理が行われ、携帯電話機５が応答信号を受信すると、確認画像データに基づく確認画像が携帯電話機５の表示部に表示される。また、携帯電話機５が応答信号を受信したときには、携帯電話機５から応答信号の受信を完了した旨の信号（以下、受信完了通知信号ともいう）が送信される。
【００５６】
次に、ＣＰＵ１０２は、携帯電話機５から受信完了通知信号を受信したか否かを判断する（ステップＳ１２）。ＣＰＵ１０２は受信完了通知信号を受信していないと判断した場合、処理をステップＳ１１に戻し、引き続き応答信号を送信する。
一方、ステップＳ１２において、受信完了通知信号を受信したと判断した場合、ＣＰＵ１０２は、要求信号に応じた命令信号を対象機器・装置に送信する（ステップＳ１３）。
【００５７】
例えば、上記要求信号が、遊技球の貸し出しに係る処理の実行を要求する信号である場合、ＣＰＵ１０２は、シリアルＩ／Ｆ１０６により、当該要求信号に応じた命令信号を、パチンコ遊技装置１の制御部６０が備えたＣＰＵ６６に送信する。ＣＰＵ６６は、上記命令信号を受信すると、払出装置５９を駆動し、所定数の遊技球を上皿２２に払い出す処理を行う。
なお、遊技球の貸し出しに係る処理を実行するにあたって、遊技者の個人認証を必要とする場合には、遊技者の個人情報等を照合するため、ＣＰＵ１０２は、ＬＡＮコントローラ部１０４により、配線網８を介して、上記要求信号に応じた命令信号を情報管理装置４に送信し、遊技球の貸し出しを許可するか否かを問い合わせることとしてもよい。
【００５８】
また、上記要求信号が、遊技球の貸し出しに必要なポイントの付与に係る処理である場合、ＣＰＵ１０２は、ＬＡＮコントローラ部１０４により、配線網８を介して、上記要求信号に応じた命令信号を、情報管理装置４に送信し、ポイントの付与を許可するか否かを問い合わせる。
情報管理装置４は、例えば、ＣＡＦＩＳ（全国銀行データ通信システム）等のシステムが備える所定の端末装置等へアクセスし、遊技者の利用可能ポイント数等に基づき、ポイントの付与を許可するか否かを判断し、さらに決済等に必要な処理を実行し、処理の結果に応じた信号を無線対応型通信ユニット１００に送信する。一方、遊技者の利用可能ポイント数を情報管理装置４が記憶・管理している場合、情報管理装置４は、ポイント付与を許可するか否かを判断した後、処理の結果に応じた信号を無線対応型通信ユニット１００に送信する。無線対応型通信ユニット１００は、上記応答信号を受信すると、シリアルＩ／Ｆ１０６により、パチンコ遊技装置１の制御部６０が備えるＣＰＵ６６へ命令信号を送信する。ＣＰＵ６６は、所定数のポイントを度数表示器２３に表示させる処理を行う。
【００５９】
また、上述要求信号が、データ表示器５０への遊技結果に基づくデータの表示に係る処理である場合、ＣＰＵ１０２は、シリアルＩ／Ｆ１０６により、上記要求信号に応じた命令信号を、パチンコ遊技装置１の制御部６０が備えるＣＰＵ６６に送信する。ＣＰＵ６６は、遊技結果に基づくデータをＲＡＭ７０から読み出して、データ表示器５０に送信し、データ表示器５０のデータ表示部５１に、遊技結果に基づくデータを表示させる処理を行う。
【００６０】
このように、ステップＳ１１において、無線対応型通信ユニット１００は、携帯電話機５から受信した要求信号の内容に応じて、対象となるパチンコ遊技装置１又は情報管理装置４に対して命令信号を送信する。その結果、遊技球の貸し出しや、遊技球の貸し出しに必要なポイントの付与や、データ表示器５０への遊技結果に基づくデータの表示等、遊技者が要求する特定の処理が実行されることになる。勿論、要求信号により遊技機に要求する特定の処理は、上述した例に限定されるものではない。
【００６１】
次に、ＣＰＵ１０２は、対象機器・装置から追加の指示要求信号を受信したか否かを判断する（ステップＳ１４）。
上記要求信号が、遊技球の貸し出しに係る処理の実行を要求する信号である場合、追加の指示要求信号としては、例えば、パスワードの入力を促す画像を携帯電話機５の表示部に表示させるための信号や、遊技球の貸し出し数量の入力を促す画像を携帯電話機５の表示部に表示させるための信号等を挙げることができる。また、上記要求信号が、遊技球の貸し出しに必要なポイントの付与に係る処理の実行を要求する信号である場合、追加の指示要求信号としては、例えば、パスワードの入力を促す画像を携帯電話機５の表示部に表示させるための信号や、ポイントの購入数量の入力を促す画像を携帯電話機５の表示部に表示させるための信号等を挙げることができる。
また、上記要求信号が、データ表示器５０への遊技結果に基づくデータの表示に係る処理の実行を要求する信号である場合、追加の指示要求信号としては、例えば、所望するデータの項目の選択を促す画像を携帯電話機５の表示部に表示させるための信号や、遊技機の選択を促す画像を携帯電話機５の表示部に表示させるための信号等を挙げることができる。
このような追加の指示要求信号に基づいて、携帯電話機５の表示部には、追加の指示の入力を促す画像が表示される。遊技者は、このような画像に表された指示に従い携帯電話機５を操作することにより、特定の処理を進めるために必要な追加の指示を入力する。その結果、遊技者が要求する特定の処理が進行することになる。
【００６２】
ステップＳ１４において、対象機器・装置から追加の指示要求信号を受信したと判断した場合、ＣＰＵ１０２は、追加の指示要求信号を携帯電話機５に送信する（ステップＳ１５）。なお、無線対応型通信ユニット１００から携帯電話機５への追加の指示要求信号は、上述した応答信号と同様にして送信することが可能である。
【００６３】
次に、ＣＰＵ１０２は、追加の要求信号を携帯電話機５から受信したか否かを判断する（ステップＳ１５）。
ステップＳ１０において受信した要求信号が、遊技球の貸し出しに係る処理の実行を要求する信号であった場合、追加の要求信号としては、例えば、入力されたパスワードに係る信号や、遊技球の貸し出し数量に係る信号等を挙げることができる。
また、ステップＳ１０において受信した要求信号が、遊技球の貸し出しに必要なポイントの付与に係る処理の実行を要求する信号であった場合、追加の要求信号としては、例えば、入力されたパスワードに係る信号や、ポイントの購入数量に係る信号等を挙げることができる。
また、ステップＳ１０において受信した要求信号が、データ表示器５０への遊技結果に基づくデータの表示に係る処理の実行を要求する信号である場合、追加の要求信号としては、例えば、所望するデータの項目に係る信号や、データを要求する遊技機に係る信号等を挙げることができる。
【００６４】
ステップＳ１５において、追加の要求信号を受信していないと判断した場合、ＣＰＵ１０２は、処理をステップＳ１５に戻し、引き続き追加の指示要求信号を携帯電話機５に送信する。
一方、携帯電話機５からの追加の要求信号を受信したと判断した場合、ＣＰＵ１０２は、確認画像データを含む応答信号を携帯電話機５に送信する（ステップＳ１７）。このステップＳ１７の処理は、ステップＳ１１の処理と略同様であり、既に説明済であるので、ここでの説明は省略する。このステップＳ１７の処理が行われ、携帯電話機５が応答信号を受信すると、確認画像データに基づく確認画像が携帯電話機５の表示部に表示される。また、携帯電話機５が応答信号を受信したときには、携帯電話機５から受信完了通知信号が送信される。
【００６５】
次に、ＣＰＵ１０２は、携帯電話機５からの受信完了通知信号を受信したか否かを判断する（ステップＳ１８）。ＣＰＵ１０２は受信完了通知信号を受信していないと判断した場合、処理をステップＳ１７に戻し、引き続き応答信号を送信する。
一方、ステップＳ１８において、受信完了通知信号を受信したと判断した場合、ＣＰＵ１０２は、追加の要求信号に応じた命令信号を対象機器・装置に送信する（ステップＳ１９）。このように、ステップＳ１９において、無線対応型通信ユニット１００は、携帯電話機５から受信した追加の要求信号の内容に応じて、対象となるパチンコ遊技装置１又は情報管理装置４に対して命令信号を送信する。その結果、遊技球の貸し出しや、遊技球の貸し出しに必要なポイントの付与や、データ表示器５０への遊技結果に基づくデータの表示等、遊技者が要求する特定の処理が進められていくことになる。勿論、追加の指示要求信号の内容と、追加の要求信号の内容とについては、上述した例に限定されるものではない。
【００６６】
ステップＳ１４において、要求信号の対象である機器・装置から追加の指示要求信号を受信していないと判断した場合、又は、ステップＳ１９の処理を実行した場合、ＣＰＵ１０２は、対象機器・装置から処理完了通知信号を受信したか否かを判断する（ステップＳ２０）。この処理完了通知信号は、ステップＳ１３において命令信号を受信した対象機器・装置が、上記命令信号に基づいた処理を完了した際に、パチンコ遊技装置１が備える無線対応型通信ユニット１００に対して送信する信号である。
ステップＳ２０において、処理完了通知信号を受信していないと判断した場合、命令信号に基づく処理が対象機器・装置において完了していないことになるので、ＣＰＵ１０２は、処理をステップＳ１４に戻す。
【００６７】
一方、ステップＳ２０において、対象機器・装置から処理完了通知信号を受信したと判断した場合、ＣＰＵ１０２は、確認画像データを含む応答信号を携帯電話機５に送信する（ステップＳ２１）。このステップＳ２１の処理は、ステップＳ１１の処理と略同様であり、既に説明済であるので、ここでの説明は省略する。このステップＳ２１の処理が行われ、携帯電話機５が応答信号を受信すると、確認画像データに基づく確認画像が携帯電話機５の表示部に表示される。また、携帯電話機５が応答信号を受信したときには、携帯電話機５から受信完了通知信号が送信される。
【００６８】
次に、ＣＰＵ１０２は、携帯電話機５からの受信完了通知信号を受信したか否かを判断する（ステップＳ２２）。ＣＰＵ１０２は受信完了通知信号を受信していないと判断した場合、処理をステップＳ２１に戻し、引き続き応答信号を送信する。一方、ステップＳ２２において、受信完了通知信号を受信したと判断した場合、本サブルーチンを終了する。
【００６９】
図７に示すサブルーチンが実行されているとき、パチンコ遊技装置１は、受信部１１０を介して携帯電話機５から個人情報信号を受信したか否かを判断する個人情報信号判断手段、及び、上記個人情報信号判断手段が個人情報信号を受信したと判断したとき、個人情報信号を受信したことを示す確認画像を携帯電話機５の表示部に表示させるために、携帯電話機５に応答信号を送信する応答信号送信手段として機能する。
【００７０】
次に、本発明の遊技システムによって携帯端末機に確認画像が表示されるまでの過程を、携帯端末機の表示部に表示される画像とあわせて、図８、図９を用いて説明することとする。
図８（ａ）〜（ｄ）、図９（ａ）〜（ｃ）は、携帯電話機５の表示部に表示される画像の一例を模式的に示す図である。
【００７１】
まず、遊技者からの指示の入力により、携帯電話機５が備えるメモリに格納された特定のソフトウェアが起動すると、携帯電話機５の表示部には、図８（ａ）に示す画面画像が表示される。
【００７２】
図８（ａ）に示す画面画像の上側には、「サービスの種類を選択して下さい。」という操作手順を示す画像が表示されている。また、画面画像の中央には、上から順に「パチンコ球、コインの貸出」、「ポイントの購入」、「データ表示」というように、サービスの種類に関する選択肢を示す画像が表示されており、各選択肢を示す画像の左側にはラジオボタンが表示されている。また、画面画像の下側には「送信」、「戻る」という選択肢を示す画像が表示されている。
【００７３】
図８（ａ）に示す画面画像が表示されているとき、遊技者は携帯電話機５を操作し、所定の指示を入力することにより、サービスの種類に関する選択肢のなかから、一のサービスを選択することができ、携帯電話機５からパチンコ遊技装置１に対して要求信号を送信することができる。
【００７４】
図７を用いて説明したように、パチンコ遊技装置１が備える無線対応型通信ユニット１００は、受信部１１０を介して、ポイントの付与を要求する要求信号を受信すると（ステップＳ１０参照）、確認画像データを含む応答信号を携帯電話機５に送信する（ステップＳ１１参照）。その結果、携帯電話機５の表示部には、図８（ｂ）に示す画面画像が表示される。
【００７５】
図８（ｂ）に示す画面画像は、携帯電話機５の表示部に表示される確認画像の一例である。すなわち、図８（ｂ）に示す画面画像の上側には、「送信を完了しました。」というパチンコ遊技装置１が応答信号（個人情報信号）を受信したことを示す画像が表示され、画面画像の中央には「１Ａ  ＣＲ△△△」という応答信号を受信したパチンコ遊技装置１の台番号及び機台名を示す画像と、「ポイントの購入」という要求信号に係る特定の処理の内容を示す画像とが表示されている。遊技者は、図８（ｂ）に示した確認画像を見ることにより、通信が正確に行われたことを容易に把握することができ、誤送信が生じた場合にも直ちにこれを把握することができる。
【００７６】
その後、対象機器・装置において、ポイントの付与に係る処理が実行されると、例えば、携帯電話機５に対して、パスワードの入力を促す画像を携帯電話機５の表示部に表示させるための追加の指示要求信号が送信される（ステップＳ１５参照）。その結果、携帯電話機５の表示部には、図８（ｃ）に示す画面画像が表示される。
【００７７】
図８（ｃ）に示す画面画像の上側には、「パスワードを入力して下さい。」という操作手順を示す画像が表示されており、画面画像の中央にはパスワード入力欄を示す画像が表示されている。また、画面画像の下側には「送信」、「戻る」という画像が表示されている。
【００７８】
図８（ｃ）に示す画面画像が表示されているとき、遊技者は携帯電話機５を操作し、所定の指示を入力することにより、パスワードを入力することができ、携帯電話機５からパチンコ遊技装置１に対して、入力されたパスワードに係る追加の要求信号を送信することができる。
パチンコ遊技装置１が備える無線対応型通信ユニット１００は、受信部１１０を介して、入力されたパスワードに係る追加の要求信号を受信すると（ステップＳ１６参照）、確認画像データを含む応答信号を携帯電話機５に送信する（ステップＳ１７参照）。その結果、携帯電話機５の表示部には、図８（ｄ）に示す画面画像が表示される。
【００７９】
図８（ｄ）に示す画面画像は、携帯電話機５の表示部に表示される確認画像の一例である。すなわち、図８（ｄ）に示す画面画像の上側には、「送信を完了しました。」というパチンコ遊技装置１が応答信号（個人情報信号）を受信したことを示す画像が表示され、画面画像の中央には「１Ａ  ＣＲ△△△」という応答信号を受信したパチンコ遊技装置１の台番号及び機台名を示す画像と、「パスワードの入力」という追加の要求信号に係る処理の内容を示す画像とが表示されている。
遊技者は、図８（ｄ）に示した確認画像を見ることにより、通信が正確に行われたことを容易に把握することができ、誤送信が生じた場合にも直ちにこれを把握することができる。
【００８０】
その後、対象機器・装置において、ポイントの付与に係る処理が実行されると、例えば、携帯電話機５に対して、ポイント購入数量の入力を促す画像を携帯電話機５の表示部に表示させるための追加の指示要求信号が送信される（ステップＳ１５参照）。
その結果、携帯電話機５の表示部には、図９（ａ）に示す画像が表示される。
【００８１】
図９（ａ）に示す画面画像の上側には、「購入するポイント数を入力して下さい。」という操作手順を示す画像が表示されており、画面画像の中央にはポイント購入数量の入力欄が表示されている。また、画面画像の下側には「送信」、「戻る」という画像が表示されている。
【００８２】
図９（ａ）に示す画面画像が表示されているとき、遊技者は携帯電話機５を操作し、所定の指示を入力することにより、ポイント購入数量を入力することができ、携帯電話機５からパチンコ遊技装置１に対して、ポイント購入数量に係る追加の要求信号を送信することができる。
パチンコ遊技装置１が備える無線対応型通信ユニット１００は、受信部１１０を介して、ポイント購入数量に係る追加の要求信号を受信すると（ステップＳ１６参照）、確認画像データを含む応答信号を携帯電話機５に送信する（ステップＳ１７参照）。その結果、携帯電話機５の表示部には、図９（ｂ）に示す画面画像が表示される。
【００８３】
図９（ｂ）に示す画面画像は、携帯電話機５の表示部に表示される確認画像の一例である。すなわち、図９（ｂ）に示す画面画像の上側には、「送信を完了しました。」というパチンコ遊技装置１が応答信号（個人情報信号）を受信したことを示す画像が表示され、画面画像の中央には「１Ａ  ＣＲ△△△」という応答信号を受信したパチンコ遊技装置１の台番号及び機台名を示す画像と、「購入ポイント数  ５０」という追加の要求信号に係る処理の内容を示す画像とが表示されている。
遊技者は、図９（ｂ）に示した確認画像を見ることにより、通信が正確に行われたことを容易に把握することができ、誤送信が生じた場合にも直ちにこれを把握することができる。
【００８４】
上述したように、追加の要求信号に基づいて、ポイントの付与に係る特定の処理が進行していき、当該処理が完了すると（ステップＳ２０参照）、パチンコ遊技装置１が備える無線対応型通信ユニット１００は、確認画像データを含む応答信号を携帯電話機５に送信する（ステップＳ２１参照）。その結果、携帯電話機５の表示部には、図９（ｃ）に示す画面画像が表示される。
【００８５】
図９（ｃ）に示す画面画像は、携帯電話機５の表示部に表示される確認画像の一例である。すなわち、図９（ｃ）に示す画面画像の上側には、「サービスの提供を完了しました。」という特定の処理が完了したことを示す画像が表示され、画面画像の中央には「１Ａ  ＣＲ△△△」という特定の処理が行われたパチンコ遊技装置１の台番号及び機台名を示す画像と、「５０ポイント購入」という完了した特定の処理の内容を示す画像とが表示されている。
また、画面画像の下側には「ご利用ありがとうございました。」という画像が表示されている。
遊技者は、図９（ｃ）に示した確認画像を見ることにより、指定したパチンコ遊技装置１において、要求した特定の処理が正確に完了したことを把握することができる。また、要求した特定の処理が正確に行われなかった場合であっても、これを直ちに認識することができるため、例えば、遊技場の店員に通報するというように必要な措置を取ることが可能である。
【００８６】
図８〜図９を用いて確認画像について説明したが、勿論、本発明に係る確認画像は上述した例に限定されるものではない。また、上述した例では、個人情報信号を受信するごとに、処理の内容に応じた確認画像が表示される場合について説明したが、同内容の確認画像が表示されることとしてもよい。
また、必ずしも、個人情報信号を受信するごとに、確認画像を表示させる必要はなく、要求する処理に内容に応じて、確認画像の表示又は非表示を設定しておいてもよい。さらに、応答信号を送信するタイミングは、必ずしも、要求信号（個人情報信号）を受信した直後である必要はなく、上記要求信号に基づく処理を実行した後であってもよい。
【００８７】
以上、本発明の遊技システムについて、個人情報信号判断手段と応答信号送信手段とを遊技機が備えている場合を説明したが、本発明の遊技システムでは、個人情報信号判断手段と応答信号送信手段とを情報管理装置が備えていることとしてもよい。
【００８８】
このようにした場合、無線対応型通信ユニット１００のＣＰＵ１０２が有するメモリに記憶されていた確認画像データは、情報管理装置４が備えるＲＯＭ８４に記憶されることになるという点を除いて、パチンコ遊技装置１、無線対応型通信ユニット１００及び情報管理装置４の構成は、上述した例と略同様である。
【００８９】
以下、個人情報信号送信手段と応答信号送信手段とを情報管理装置が備えている本発明の遊技システムにおいて行われる処理について、図１０、図１１を用いて説明することにする。
図１０は、パチンコ遊技装置１が備える無線対応型通信ユニット１００において実行されるサブルーチンを示すフローチャートである。このサブルーチンは、予め実行されている無線対応型通信ユニット１００の動作等を制御するプログラムから所定のタイミングで呼び出されて実行されるものである。
【００９０】
最初に、ＣＰＵ１０２は、携帯電話機５から要求信号を受信したか否かを判断する（ステップＳ３０）。携帯電話機５からの要求信号を受信していないと判断した場合、本サブルーチンを終了する。一方、携帯電話機５からの要求信号を受信したと判断した場合、ＣＰＵ１０２は、要求信号に含まれる個人情報信号を情報管理装置４に送信する（ステップＳ３１）。このステップＳ３１の処理は、後述するステップＳ５０に対応する処理である。
【００９１】
次に、ＣＰＵ１０２は、情報管理装置４から受信完了通知信号を受信したか否かを判断する（ステップＳ３２）。このステップＳ３２の処理は、後述するステップＳ５１に対応する処理である。受信完了通知信号を受信していないと判断した場合、ＣＰＵ１０２は、処理をステップＳ３１に戻し、引き続き個人情報信号を情報管理装置４に送信する。
【００９２】
一方、情報管理装置４から受信完了通知信号を受信したと判断した場合、ＣＰＵ１０２は、要求信号に応じた命令信号を対象機器・装置へ送信する（ステップＳ３３）。その結果、命令信号に基づいた処理が対象機器・装置において実行されることになる。
【００９３】
次に、ＣＰＵ１０２は、対象機器・装置から追加の指示要求信号を受信したか否かを判断する（ステップＳ３４）。追加の指示要求信号については、既に説明済であるので、ここでの説明は省略する。
ステップＳ３４において追加の指示要求信号を受信したと判断した場合、ＣＰＵ１０２は、追加の指示要求信号を携帯電話機５に送信する（ステップＳ３５）。
【００９４】
次に、ＣＰＵ１０２は、携帯電話機５から追加の要求信号を受信したか否かを判断する（ステップＳ３６）。追加の要求信号については、既に説明済であるので、ここでの説明は省略する。
携帯電話機５から追加の要求信号を受信していないと判断した場合、ＣＰＵ１０２は、処理をステップＳ３５に戻し、引き続き追加の指示要求信号を携帯電話機５へ送信する。
【００９５】
一方、携帯電話機５から追加の要求信号を受信したと判断した場合、ＣＰＵ１０２は、追加の要求信号に含まれる個人情報信号を情報管理装置４へ送信する（ステップＳ３７）。このステップＳ３７の処理は、後述するステップＳ５０に対応する処理である。
【００９６】
次に、ＣＰＵ１０２は、情報管理装置４から受信完了通知信号を受信したか否かを判断する（ステップＳ３８）。このステップＳ３８の処理は、後述するステップＳ５１に対応する処理である。
情報管理装置４からの受信完了通知信号を受信したと判断した場合、ＣＰＵ１０２は、追加の要求信号に応じた命令信号を対象機器・装置へ送信する（ステップＳ３９）。その結果、命令信号に基づいた処理が対象機器・装置で実行されることになる。
【００９７】
ステップＳ３４において、対象機器・装置から追加の指示要求信号を受信していないと判断した場合、又は、ステップＳ３９の処理を実行した場合、ＣＰＵ１０２は、対象機器・装置から処理完了通知信号を受信したか否かを判断する（ステップＳ４０）。対象機器・装置から処理完了通知信号を受信していないと判断した場合、命令信号に基づく処理が対象機器・装置において完了していないことになるので、ＣＰＵ１０２は、処理をステップＳ３４に戻す。
一方、対象機器・装置から処理完了通知信号を受信したと判断した場合、ＣＰＵ１０２は、要求信号に含まれていた個人情報信号を情報管理装置４へ送信する（ステップＳ４１）。このステップＳ４１の処理は、後述するステップＳ５０に対応する処理である。
【００９８】
次に、ＣＰＵ１０２は、情報管理装置４からの受信完了通知信号を受信したか否かを判断する（ステップＳ４２）。このステップＳ４２の処理は、後述するステップＳ５１に対応する処理である。
情報管理装置４から受信完了通知信号を受信していないと判断した場合、処理をステップＳ４１に戻し、引き続き個人情報信号を情報管理装置４に送信する。
一方、情報管理装置４から受信完了通知信号を受信したと判断した場合、本サブルーチンを終了する。
【００９９】
図１１は、情報管理装置４において実行されるサブルーチンを示すフローチャートである。このサブルーチンは、図１０に示したサブルーチンに対応して実行されるサブルーチンである。
【０１００】
最初に、ＣＰＵ８２は、パチンコ遊技装置１から個人情報信号を受信したか否かを判断する（ステップＳ５０）。すなわち、ＣＰＵ８２は、パチンコ遊技装置１が備える無線対応型通信ユニット１００から、配線網８を介して、ＬＡＮコントローラ部９２により、個人情報信号を受信したか否かを判断する。なお、このステップＳ５０の処理は、図１０に示したサブルーチンのステップＳ３１、Ｓ３７、Ｓ４１に対応する処理である。
このとき、情報管理装置４は、受信部１１０を介して携帯電話機５から個人情報信号を受信したか否かを判断する個人情報信号判断手段として機能する。
パチンコ遊技装置１から個人情報信号を受信していないと判断した場合、ＣＰＵ８２は、本サブルーチンを終了する。
【０１０１】
一方、ステップＳ５０において、パチンコ遊技装置１からの個人情報信号を受信したと判断した場合、ＣＰＵ８２は、送信元のパチンコ遊技装置１に受信完了通知信号を送信する（ステップＳ５１）。すなわち、ＣＰＵ８２は、ＬＡＮコントローラ部９２により、配線網８を介して、パチンコ遊技装置１が備える無線対応型通信ユニット１００に受信完了通知信号を送信する。なお、このステップＳ５１の処理は、図１０に示したサブルーチンのステップＳ３２、Ｓ３８、Ｓ４２に対応する処理である。
【０１０２】
次に、ＣＰＵ８２は、確認画像データを含む応答信号を携帯電話機５に送信する（ステップＳ５２）。すなわち、ＣＰＵ８２は、ＲＯＭ８４に記憶された確認画像データのなかから、必要となる確認画像データを読み出し、この確認画像データとともに応答信号を、無線通信回路部９０から無線により携帯電話機５に送信する。なお、ＣＰＵ８２が、確認画像データとともに応答信号を、一旦、ＬＡＮコントローラ部９２から配線網８を介してパチンコ遊技装置１に送信し、パチンコ遊技装置１から携帯電話機５に応答信号を送信することとしてもよい。
その結果、携帯電話機５の表示部には、個人情報信号を受信したことを示す確認画像が表示されることになる。また、携帯電話機５は、情報管理装置４からの応答信号を受信すると、情報管理装置４へ受信完了通知信号を送信する。
確認画像については、図８、図９に示した画像と同様のものを用いることが可能であり、既に説明済であるので、ここでの説明は省略する。
このとき、情報管理装置４は、個人情報信号判断手段が個人情報信号を受信したと判断したとき、個人情報信号を受信したことを示す確認画像を携帯電話機５の表示部に表示させるために、携帯電話機５に応答信号を送信する応答信号送信手段として機能する。
【０１０３】
次に、ＣＰＵ８２は、携帯電話機５からの受信完了通知信号を受信したか否かを判断する（ステップＳ５３）。受信完了通知信号を受信していないと判断した場合、ＣＰＵ８２は、処理をステップＳ５２へ戻し、引き続き応答信号を携帯電話機５へ送信する。一方、受信完了通知信号を受信したと判断した場合、ＣＰＵ８２は、本サブルーチンを終了する。
【０１０４】
上述した図１０、図１１に示したサブルーチンが実行されると、携帯電話機５から要求信号が発せられたとき、携帯電話機５から追加の要求信号か発せられたとき、又は、要求信号に基づく処理が完了したとき、携帯電話機５の表示部には、
【０１０５】
以上、個人情報信号判断手段と応答信号送信手段とを情報管理装置が備えている場合について説明したが、本発明の遊技システムでは、個人情報信号判断手段を遊技機が備え、応答信号送信手段を情報管理装置が備えることとしてもよい。また、個人情報信号判断手段を情報管理装置が備え、応答信号送信手段を遊技機が備えることとしてもよい。
【０１０６】
【発明の効果】
本発明によれば、携帯端末機からのアクセスがあると、個人情報信号を受信したことを示す確認画像が携帯端末機の表示部に表示されるため、遊技者は、対象となる遊技機との通信が正確に行われたことを容易に把握することができ、誤送信が生じたことも直ちに把握することができる。
その結果、誤送信が生じたときには、直ちに遊技場の店員に通報するというように必要な措置を取ることができるため、遊技者は不測の不利益を蒙ることがなく、セキュリティ面の問題も解消することができる。
【図面の簡単な説明】
【図１】本発明の遊技システムの一例を模式的に示す概念図である。
【図２】図１に示した遊技システムに用いられるパチンコ遊技装置の一例を模式的に示す斜視図である。
【図３】図１に示した遊技システムに用いられるパチンコ遊技装置の他の一例を模式的に示す斜視図である。
【図４】図２に示したパチンコ遊技装置の構成を示すブロック図である。
【図５】図２に示したパチンコ遊技装置が備える無線対応型通信ユニットの内部構造を示すブロック図である。
【図６】図１に示した情報管理装置の内部構成を模式的に示すブロック図である。
【図７】図５に示した無線対応型通信ユニットにおいて実行されるサブルーチンを示すフローチャートである。
【図８】（ａ）〜（ｄ）は、図１に示した携帯電話機の表示部に表示される画像の一例を模式的に示す図である。
【図９】（ａ）〜（ｃ）は、図１に示した携帯電話機の表示部に表示される画像の一例を模式的に示す図である。
【図１０】無線対応型通信ユニットにおいて実行されるサブルーチンを示すフローチャートである。
【図１１】情報管理装置において実行されるサブルーチンを示すフローチャートである。
【符号の説明】
１（１Ａ〜１Ｈ）、７  パチンコ遊技装置（遊技機）
２（２Ａ〜２Ｈ）  パチスロ遊技装置（遊技機）
４  情報管理装置
５（５Ａ、５Ｂ）  携帯電話機（携帯端末機）
８  配線網（通信回線）
９  遊技場
１０  本体装置
１２  本体枠
１４  遊技盤
１６  窓枠
２０  上皿
２２  下皿
２３  度数表示器
２４  携帯電話機設置台
２５  操作ボタン
２６  発射ハンドル
３２  表示装置
４０  台間機
４１  カード挿入口
５０  データ表示器
５１  データ表示部
５９  払出装置
６０  制御部
６６、８２、１０２  ＣＰＵ
６８、８４  ＲＯＭ
７０、８６  ＲＡＭ
８８  ハードディスクドライブ
９０、１０３  無線通信回路部
９２、１０４  ＬＡＮコントローラ部
１００  無線対応型通信ユニット
１０１  本体部
１０５  拡張Ｉ／Ｆ
１０６  シリアルＩ／Ｆ
１０７  汎用Ｉ／Ｏ
１１０  受信部
１１０ａ  受信面
１２０  監視カメラ
１３０、１３１  取付部
【図１】
2004242703.tif 000003
【図２】
2004242703.tif 000004
【図３】
2004242703.tif 000005
【図４】
2004242703.tif 000006
【図５】
2004242703.tif 000007
【図６】
2004242703.tif 000008
【図７】
2004242703.tif 000009
【図８】
2004242703.tif 000010
【図９】
2004242703.tif 000011
【図１０】
2004242703.tif 000012
【図１１】
2004242703.tif 000013